(57)【特許請求の範囲】
【請求項１】
第１光源部及び第２光源部と、
前記第１光源部及び前記第２光源部のうち１つを選択して点灯状態へ制御する点灯状態制御を行う制御部と、
前記第１光源部及び前記第２光源部の点灯開始期間における点灯状態を判定する判定部と、
を含み、
前記制御部は、前記点灯状態制御において、
前記第１光源部及び前記第２光源部のうち、前回の前記点灯状態制御で選択されなかった前記第１光源部又は前記第２光源部を優先して、１つを選択し点灯開始制御を行う第１点灯開始制御処理と、
前記第１点灯開始制御処理の後に前記判定部が前記点灯状態を非点灯と判定した場合に、前記第１点灯開始制御処理で選択されなかった前記第１光源部又は前記第２光源部を選択し点灯開始制御を行う第２点灯開始制御処理と、
前記第２点灯開始制御処理の後に前記判定部が前記点灯状態を非点灯と判定した場合に、前記第１点灯開始制御処理で選択された前記第１光源部又は前記第２光源部の冷却期間が経過した後に、前記第１点灯開始制御処理で選択された前記第１光源部又は前記第２光源部を選択し点灯開始制御を行う第３点灯開始制御処理と、
を行う、プロジェクター。
【請求項２】
第１光源部及び第２光源部を有し、前記第１光源部及び前記第２光源部のうち１つを選択して点灯状態へ制御する点灯状態制御を行うプロジェクターの光源の点灯方法であって、
前記点灯状態制御において、
前記第１光源部及び第２光源部のうち、前回の前記点灯状態制御で選択されなかった前記第１光源部又は前記第２光源部を優先して、１つを選択し点灯開始制御を行う第１点灯開始制御処理と、
前記第１点灯開始制御処理の後に、前記第１点灯開始制御処理で選択された前記第１光源部又は前記第２光源部の点灯開始期間における点灯状態を判定する第１判定処理と、
前記第１判定処理で前記点灯状態を非点灯と判定した場合に、前記第１点灯開始制御処理で選択されなかった前記第１光源部又は前記第２光源部を選択し点灯開始制御を行う第２点灯開始制御処理と、
前記第２点灯開始制御処理の後に、前記第２点灯開始制御処理で選択された前記第１光源部又は前記第２光源部の点灯開始期間における点灯状態を判定する第２判定処理と、
前記第２判定処理で前記点灯状態を非点灯と判定した場合に、前記第１点灯開始制御処理で選択された前記第１光源部又は前記第２光源部の冷却期間が経過した後に、前記第１点灯開始制御処理で選択された前記第１光源部又は前記第２光源部を選択し点灯開始制御を行う第３点灯開始制御処理と、
を行う、プロジェクターの光源の点灯方法。
【発明の詳細な説明】
【技術分野】
【０００１】
本発明は、プロジェクター及びプロジェクターの光源の点灯方法に関する。
【背景技術】
【０００２】
光源として高圧水銀ランプやメタルハライドランプ等の放電灯（ランプ）を使用したプロジェクターが知られている。このようなプロジェクターの中には、複数の光源を用いるプロジェクターも存在している。
【先行技術文献】
【特許文献】
【０００３】
【特許文献１】特開２００１−１２５１９８号公報
【発明の概要】
【発明が解決しようとする課題】
【０００４】
複数のランプの中から選択的にランプを点灯するプロジェクターにおいて、点灯のために選択されたランプが何らかの理由で点灯に至らなかった場合、通常は同一のランプにおいて再点灯動作が行われる。ランプ温度が上昇するとランプは点灯しにくくなることが知られているため、ランプが点灯に至らなかったことを確認してから再点灯動作を開始するまでには、マージンを確保して冷却期間（例えば１５秒〜３０秒程度）を設けるのが通常である。そのため、ユーザーにとっては使用開始までの待ち時間が長くなるという問題があった。
【０００５】
本発明は、以上のような問題点に鑑みてなされたものであり、ランプが点灯に至らなかった場合において、使用開始までの待ち時間を短縮可能なプロジェクター及びプロジェクターの光源の点灯方法を提供することを目的とする。
【課題を解決するための手段】
【０００６】
本発明に係るプロジェクターは、複数の光源部を有するプロジェクターにおいて、前記光源部の点灯開始期間における点灯状態を判定する判定部と、前記判定部で前記点灯状態を非点灯と判定した場合に、当該光源部とは異なる光源部を選択し点灯制御を行う制御部とを含むことを特徴とする。
【０００７】
光源部の点灯開始期間とは、例えば、光源の駆動開始から点灯状態を判定できるまでの期間である。具体的には、初めから点灯しなかった場合や、一度点灯したが点灯状態を判定できるまでに消えてしまった場合等が該当する。
【０００８】
本発明によれば、ランプが点灯に至らなかった場合には、点灯に至らなかった光源部とは異なる光源部を選択して点灯制御を行うため、従来のように冷却期間に待ち続ける必要がない。したがって、ランプが点灯に至らなかった場合において、使用開始までの待ち時間を短縮可能なプロジェクターが実現できる。
【０００９】
このプロジェクターは、前記光源部は、ランプと、前記ランプを駆動する点灯駆動部とを含み、前記制御部は、前記点灯駆動部のいずれかに対して点灯指令を出力し、前記ランプが点灯に至らなかった場合には、当該点灯駆動部とは異なる点灯駆動部を選択し点灯指令を出力してもよい。
【００１０】
このプロジェクターは、前記光源部は、ランプと、前記ランプを駆動する点灯駆動部と
を含み、前記点灯駆動部のいずれかは、前記制御部を含み、前記制御部は、前記点灯駆動部のいずれかに対して点灯指令を出力し、前記ランプが点灯に至らなかった場合には、当該点灯駆動部とは異なる点灯駆動部を選択し点灯指令を出力してもよい。
【００１１】
本発明に係るプロジェクターの光源の点灯方法は、複数の光源を有するプロジェクターの光源の点灯方法において、前記光源の点灯開始期間における点灯状態を判定する判定処理と、前記判定処理で前記点灯状態を非点灯と判定した場合に、当該光源とは異なる光源を選択し点灯制御を行う点灯制御処理とを行うことを特徴とする。
【図面の簡単な説明】
【００１２】
【図１】本実施形態に係るプロジェクターの全体構成の一例を示す図。
【図２】本実施形態に係る点灯駆動部の回路構成の一例を示す図。
【図３】本実施形態に係るプロジェクターのランプの点灯方法を説明するためのフローチャート。
【図４】図４（Ａ）及び図４（Ｂ）は、本実施形態に係るランプの点灯方法におけるタイミングチャート、図４（Ｃ）は、従来のランプの点灯方法におけるタイミングチャート。
【図５】変形例に係るプロジェクターの全体構成の一例を示す図。
【発明を実施するための形態】
【００１３】
以下、本発明の好適な実施形態について図面を用いて詳細に説明する。なお、以下に説明する実施形態は、特許請求の範囲に記載された本発明の内容を不当に限定するものではない。また以下で説明される構成の全てが本発明の必須構成要件であるとは限らない。
【００１４】
１．プロジェクターの全体構成
図１は、本実施形態に係るプロジェクターの全体構成の一例を示す図である。
【００１５】
本実施形態に係るプロジェクター５００は、複数の光源部を含む。図１に示す例では、２つの光源部１００−１及び１００−２を含んで構成されている。
【００１６】
光源部１００−１は、光源としてのランプ９０−１と、ランプ９０−１を駆動する点灯駆動部１０−１を含んで構成されている。同様に、光源部１００−２は、光源としてのランプ９０−２と、ランプ９０−２を駆動する点灯駆動部１０−２を含んで構成されている。本実施形態においては、ランプ９０−１及び９０−２として高圧水銀ランプやメタルハライドランプ等の放電灯を用いる例について説明する。
【００１７】
点灯駆動部１０−１及び１０−２はそれぞれ、起動時にランプ９０−１及び９０−２の電極間に高電圧の電圧パルスを発生して絶縁破壊させて放電路を形成し、以後、ランプ９０−１及び９０−２が放電を維持するための駆動電流を所与の供給電力で供給する。
【００１８】
本実施形態に係るプロジェクター５００は、制御装置２００を含む。制御装置２００は、プロジェクターの点灯開始から消灯に至るまでの動作を制御する。制御装置２００は、光源部１００−１及び１００−２の点灯開始期間における点灯状態を判定する判定部２１０と、判定部２１０で点灯状態を非点灯と判定した場合に、当該光源部とは異なる光源部を選択し点灯制御を行う制御部２２０とを含んで構成されている。制御装置２００と点灯駆動部１０−１及び１０−２とは、例えばＵＡＲＴ（Universal Asynchronous Receiver Transmitter）によるシリアル通信により通信してもよい。
【００１９】
制御装置２００は、ランプ９０−１の駆動電流Ｉｌａ１のソースである直流電流Ｉｄ１等、ランプ９０−１の駆動状態に関する情報を、点灯駆動部１０−１から通信信号５８１
を介して受け取る。同様に、制御装置２００は、ランプ９０−２の駆動電流Ｉｌａ２のソースである直流電流Ｉｄ２等、ランプ９０−２の駆動状態に関する情報を、点灯駆動部１０−２から通信信号５８２を介して受け取る。
【００２０】
判定部２１０は、点灯開始期間において直流電流Ｉｄ１が所定値以下の値であった場合に、ランプ９０−１が点灯に至らなかったものと判定してもよい。同様に、判定部２１０は、点灯開始期間において直流電流Ｉｄ２が所定値以下の値であった場合に、ランプ９０−２が点灯に至らなかったものと判定してもよい。
【００２１】
さらに、制御装置２００は、プロジェクター５００がユーザーからの点灯操作を受け付けた場合に、制御部２２０により選択した点灯駆動部１０−１又は１０−２に通信信号５８１又は５８２として点灯指令を送信してもよい。また、プロジェクター５００がユーザーからの消灯操作を受け付けた場合に、点灯しているランプに対応する点灯駆動部１０−１又は１０−２に通信信号５８１又は５８２として消灯指令を送信してもよい。
【００２２】
制御装置２００は、その一部又は全てを半導体集積回路で構成してもよい。また、制御装置２００は、専用回路により実現して上述した各種制御を行うようにすることもできるが、例えばＣＰＵ（Central Processing Unit）が不図示の記憶部等に記憶された制御プログラムを実行することによりコンピューターとして機能し、判定部２１０に対応する判定手段、制御部２２０に対応する制御手段としてこれらの処理の各種制御を行うようにすることもできる。
【００２３】
本実施形態に係るプロジェクター５００は、画像信号変換部５１０、画像処理装置５７０、直流電源装置８０、ミラー群５５０、液晶パネル５６０Ｒ、５６０Ｇ、５６０Ｂを含んでもよい。
【００２４】
画像信号変換部５１０は、外部から入力された画像信号５０２（輝度−色差信号やアナログＲＧＢ信号など）を所定のワード長のデジタルＲＧＢ信号に変換して画像信号５１２Ｒ、５１２Ｇ、５１２Ｂを生成し、画像処理装置５７０に供給する。
【００２５】
画像処理装置５７０は、３つの画像信号５１２Ｒ、５１２Ｇ、５１２Ｂに対してそれぞれ画像処理を行い、液晶パネル５６０Ｒ、５６０Ｇ、５６０Ｂをそれぞれ駆動するための駆動信号５７２Ｒ、５７２Ｇ、５７２Ｂを出力する。
【００２６】
直流電源装置８０は、外部の交流電源６００から供給される交流電圧を一定の直流電圧に変換し、トランス（図示しないが、直流電源装置８０に含まれる）の２次側にある画像信号変換部５１０、画像処理装置５７０、トランスの１次側にある点灯駆動部１０−１及び０−２に直流電圧を供給する。
【００２７】
ランプ９０−１及び９０−２が発する光束は、ミラー群５５０に含まれる２つのダイクロイックミラーを通してそれぞれＲ、Ｇ、Ｂの色光に分離され、その他のミラーで反射されて、それぞれ液晶パネル５６０Ｒ、５６０Ｇ、５６０Ｂに透過される。
【００２８】
液晶パネル５６０Ｒ、５６０Ｇ、５６０Ｂには、それぞれ駆動信号５７２Ｒ、５７２Ｇ、５７２Ｂによる画像を形成し、当該画像によって各液晶パネルを透過する色光の光量を変調する光変調手段である。当該光変調手段により変調された各色光は、再びダイクロイックプリズムで合成されてスクリーン７００に投射される。
【００２９】
２．点灯駆動部の構成
図２は、本実施形態に係る点灯駆動部の回路構成の一例を示す図である。以下の説明で
は点灯駆動部１０−１の構成について説明するが、点灯駆動部１０−２の構成についても同様である。
【００３０】
点灯駆動部１０−１は、電力制御回路２０を含む。電力制御回路２０は、ランプ９０−１への供給電力を生成する。本実施形態においては、電力制御回路２０は、直流電源装置８０を入力とし、当該入力電圧を降圧して直流電流Ｉｄ１を出力するダウンチョッパー回路で構成されている。
【００３１】
電力制御回路２０は、スイッチ素子２１、ダイオード２２、コイル２３及びコンデンサー２４を含んで構成することができる。スイッチ素子２１は、例えばトランジスターで構成することができる。本実施形態においては、スイッチ素子２１の一端は直流電源装置８０の正電圧側に接続され、他端はダイオード２２のカソード端子及びコイル２３の一端に接続されている。また、コイル２３の他端にはコンデンサー２４の一端が接続され、コンデンサー２４の他端はダイオード２２のアノード端子及び直流電源装置８０の負電圧側に接続されている。スイッチ素子２１の制御端子には点灯制御部４０から電流制御信号が入力されてスイッチ素子２１のＯＮ／ＯＦＦが制御される。電流制御信号には、例えばＰＷＭ（Pulse Width Modulation）制御信号が用いられてもよい。
【００３２】
ここで、スイッチ素子２１がＯＮすると、コイル２３に電流が流れ、コイル２３にエネルギーが蓄えられる。その後、スイッチ素子２１がＯＦＦすると、コイル２３に蓄えられたエネルギーがコンデンサー２４とダイオード２２とを通る経路で放出される。その結果、スイッチ素子２１がＯＮする時間の割合に応じた直流電流Ｉｄ１が発生する。
【００３３】
点灯駆動部１０−１は、交流変換回路３０を含む。交流変換回路３０は、電力制御回路２０から出力される直流電流Ｉｄを入力し、所与のタイミングで極性反転することにより、任意のデューティー比や周波数をもつ駆動電流Ｉｌａ１を生成出力する。本実施形態においては、交流変換回路３０はインバーターブリッジ回路（フルブリッジ回路）で構成されている。
【００３４】
交流変換回路３０は、例えば、トランジスターなどの第１乃至第４のスイッチ素子３１乃至３４を含んで構成され、直列接続された第１及び第２のスイッチ素子３１及び３２と、直列接続された第３及び第４のスイッチ素子３３及び３４を、互いに並列接続して構成される。第１乃至第４のスイッチ素子３１乃至３４の制御端子には、それぞれ点灯制御部４０から交流変換制御信号が入力され、第１乃至第４のスイッチ素子３１乃至３４のＯＮ／ＯＦＦが制御される。
【００３５】
交流変換回路３０は、第１及び第４のスイッチ素子３１及び３４と、第２及び第３のスイッチ素子３２及び３３を交互にＯＮ／ＯＦＦを繰り返すことにより、電力制御回路２０から出力される直流電流Ｉｄ１の極性を交互に反転し、第１及び第２のスイッチ素子３１及び３２の共通接続点及び第３及び第４のスイッチ素子３３及び３４の共通接続点から、制御されたデューティー比や周波数等をもった駆動電流Ｉｌａ１を生成出力する。
【００３６】
すなわち、第１及び第４のスイッチ素子３１及び３４がＯＮの時には第２及び第３のスイッチ素子３２及び３３をＯＦＦにし、第１及び第４のスイッチ素子３１及び３４がＯＦＦの時には第２及び第３のスイッチ素子３２及び３３をＯＮにするように制御する。したがって、第１及び第４のスイッチ素子３１及び３４がＯＮの時には、コンデンサー２４の一端から第１のスイッチ素子３１、ランプ９０−１、第４のスイッチ素子３４の順に流れる駆動電流Ｉｌａ１が発生する。また、第２及び第３のスイッチ素子３２及び３３をＯＮの時には、コンデンサー２４の一端から第３のスイッチ素子３３、ランプ９０−１、第２のスイッチ素子３２の順に流れる駆動電流Ｉｌａ１が発生する。
【００３７】
点灯駆動部１０−１は、点灯制御部４０を含む。点灯制御部４０は、電力制御回路２０及び交流変換回路３０を制御して、ランプ９０−１の点灯や消灯を制御する。例えば、点灯制御部４０は、電力制御回路２０を制御して直流電流Ｉｄ１の電流値を制御することによりランプ９０−１への供給電力を制御する。また例えば、点灯制御部４０は、交流変換回路３０を制御して駆動電流Ｉｌａ１の極性反転タイミングを制御することにより、駆動電流Ｉｌａ１のデューティー比、周波数等を制御する。
【００３８】
また、点灯制御部４０は、プロジェクター５００の制御装置２００との間で通信信号５８１を送受信する。例えば、点灯制御部４０は、ランプ９０−１の駆動電流Ｉｌａ１のソースである直流電流Ｉｄ１等、ランプ９０−１の駆動状態に関する情報を制御装置２００へ送信する。また例えば、点灯制御部４０は、ランプ９０−１の点灯を指示する点灯指令を制御装置２００から受信する。点灯制御部４０は、制御装置２００から受信した点灯指令に基づいて、ランプ９０−１の点灯制御を開始する。
【００３９】
点灯制御部４０の構成は、特に限定されるものではないが、本実施形態においては、点灯制御部４０は、システムコントローラー４１、電力制御回路コントローラー４２及び交流変換回路コントローラー４３含んで構成されている。なお、点灯制御部４０は、その一部又は全てを半導体集積回路で構成してもよい。
【００４０】
システムコントローラー４１は、電力制御回路コントローラー４２及び交流変換回路コントローラー４３を制御することにより、電力制御回路２０及び交流変換回路３０を制御する。システムコントローラー４１は、後述する点灯駆動部１０−１内部に設けた電圧検出部により検出した駆動電圧Ｖｄ及び電流検出部６０により検出した直流電流Ｉｄ１に基づき、電力制御回路コントローラー４２及び交流変換回路コントローラー４３を制御してもよい。
【００４１】
本実施形態においては、システムコントローラー４１は内蔵記憶部４４を含んで構成されている。なお、内蔵記憶部４４は、システムコントローラー４１とは独立に設けてもよい。
【００４２】
システムコントローラー４１は、内蔵記憶部４４に格納された情報に基づき、電力制御回路２０及び交流変換回路３０を制御してもよい。内蔵記憶部４４には、例えば直流電流Ｉｄ１の電流値、駆動電流Ｉｌａ１が同一極性で継続する保持時間、駆動電流Ｉｌａ１の電流値、デューティー比、周波数、波形等の駆動パラメーターに関する情報が格納されていてもよい。
【００４３】
電力制御回路コントローラー４２は、システムコントローラー４１からの制御信号に基づき、電力制御回路２０へ電流制御信号を出力することにより、電力制御回路２０を制御する。
【００４４】
交流変換回路コントローラー４３は、システムコントローラー４１からの制御信号に基づき、交流変換回路３０へ交流変換制御信号を出力することにより、交流変換回路３０を制御する。
【００４５】
なお、点灯制御部４０は、専用回路により実現して上述した制御や後述する各種制御を行うようにすることもできるが、例えばＣＰＵ（Central Processing Unit）が内蔵記憶部４４等に記憶された制御プログラムを実行することによりコンピューターとして機能し、これらの処理の各種制御を行うようにすることもできる。
【００４６】
点灯駆動部１０−１は、電流検出部６０を含む。電流検出部６０は、直流電流Ｉｄ１を検出し、駆動電流情報を出力する。本実施形態においては、電流検出部６０は、抵抗６３を含んで構成されている。電流検出部６０は、ランプ９０−１に直列に接続された抵抗６３に発生する電圧により電力制御回路２０から出力される直流電流Ｉｄ１を検出する。
【００４７】
点灯駆動部１０−１は、電圧検出部を含んでもよい。電圧検出部は、駆動電圧Ｖｄを検出する。本実施形態においては、電圧検出部は、抵抗６１及び６２を含んで構成されている。電圧検出部は、ランプ９０−１と並列に、互いに直列接続された抵抗６１及び６２で分圧した電圧により駆動電圧Ｖｄを検出する。
【００４８】
点灯駆動部１０−１は、イグナイター回路７０を含んでもよい。イグナイター回路７０は、ランプ９０−１の点灯開始時にのみ動作し、ランプ９０−１の点灯開始時にランプ９０−１の電極間を絶縁破壊して放電路を形成するために必要な高電圧（通常制御動作時よりも高い電圧）パルスをランプ９０−１の電極間に供給する。本実施形態においては、イグナイター回路７０は、ランプ９０−１と並列に接続されている。
【００４９】
３．ランプの点灯方法
本実施形態に係るプロジェクターのランプ（光源）の点灯方法では、ランプの点灯開始期間における点灯状態を判定する判定処理と、判定処理でランプ（光源）が点灯に至らなかったものと判定した場合に、当該ランプ（光源）とは異なるランプ（光源）を選択し点灯制御を行う点灯制御処理とを行う。
【００５０】
図３は、本実施形態に係るプロジェクター５００のランプの点灯方法を説明するためのフローチャートである。
【００５１】
まず、プロジェクター５００は、ユーザーからの点灯操作を受け付ける（ステップＳ１００）。ユーザーからの点灯操作を受け付けた後、制御装置２００は、点灯するランプを選択し点灯制御を行う（ステップＳ１０２）。例えば、あらかじめ各ランプにＩＤを付与しておき、前回使用しなかったランプの中からＩＤ順に選択してもよい。以後の説明では、ステップＳ１０２でランプ９０−１が選択された場合を例にとり説明する。
【００５２】
ステップＳ１０２においてランプ９０−１を選択した場合には、制御装置２００の制御部２２０は、ランプ９０−１に対応する点灯駆動部１０−１に通信信号５８１を介して点灯指令を出力する。点灯指令を受信した点灯駆動部１０−１は、ランプ９０−１の駆動を開始する。例えば、イグナイター回路７０でランプの電極間に所定期間だけ高電圧パルスを供給することで、ランプ９０−１の駆動を開始する。
【００５３】
ステップＳ１０２の後に、点灯駆動部は、ランプの駆動電流を検出する（ステップＳ１０４）。本説明においては、ステップＳ１０２でランプ９０−１が選択されているので、点灯駆動部１０−１の電流検出部６０で直流電流Ｉｄ１を検出する。検出された直流電流Ｉｄ１に関する情報は、通信信号５８１を介して制御装置２００に送信される。
【００５４】
ステップＳ１０４の後に、制御装置２００の判定部２１０は、ランプの点灯開始期間における点灯状態を判定する判定処理を行う（ステップＳ１０６）。ランプの点灯開始期間とは、例えば、イグナイター回路７０でランプの電極間に所定期間だけ高電圧パルスの供給を開始してから、その後にランプの駆動電流を安定に検出できるまでの期間としてもよい。
【００５５】
制御装置２００の判定部２１０は、ランプの駆動電流が所定値以下の場合に点灯に至らなかったもの（点灯状態を非点灯）と判定する。具体的には、ランプ９０−１が初めから
点灯しなかった場合や、一度点灯したが点灯状態を判定できるまでに消えてしまった場合等が該当する。本説明においては、ステップＳ１０２でランプ９０−１が選択されているので、直流電流Ｉｄ１が所定値以下の場合に、ランプ９０−１が点灯に至らなかったもの（点灯状態を非点灯）と判定する。
【００５６】
ステップＳ１０６でランプが点灯に至らなかったもの（点灯状態を非点灯）と判定した場合（ステップＳ１０６でＹＥＳの場合）には、制御装置２００の制御部２２０は、当該点灯駆動部とは異なる点灯駆動部を選択し点灯指令を出力する点灯制御処理を行う（ステップＳ１０８）。本説明においては、ステップＳ１０２でランプ９０−１が選択されているので、制御装置２００の制御部２２０はランプ９０−２に対応する点灯駆動部１０−２を選択し、通信信号５８２を介して点灯指令を出力する。
【００５７】
ステップＳ１１０の後に、点灯駆動部は、ランプの駆動電流を検出する（ステップＳ１０４）。本説明においては、ステップＳ１０８でランプ９０−２が選択されているので、点灯駆動部１０−２の電流検出部６０で直流電流Ｉｄ２を検出する。検出された直流電流Ｉｄ２に関する情報は、通信信号５８２を介して制御装置２００に送信される。
【００５８】
ステップＳ１０４の後に、制御装置２００の判定部２１０は、ランプの点灯開始期間における点灯状態を判定する判定処理を行う（ステップＳ１０６）。本説明においては、ステップＳ１０８でランプ９０−２が選択されているので、直流電流Ｉｄ２が所定値以下の場合に、ランプ９０−１が点灯に至らなかったもの（点灯状態を非点灯）と判定する。
【００５９】
ステップＳ１０６でランプが点灯に至らなかったもの（点灯状態を非点灯）と判定した場合（ステップＳ１０６でＹＥＳの場合）には、制御装置２００の制御部２２０は、当該点灯駆動部とは異なる点灯駆動部を選択し点灯指令を出力する点灯制御処理を行う（ステップＳ１０８）。本説明においては、ステップＳ１０８でランプ９０−２が選択されているので、制御装置２００の制御部２２０はランプ９０−１に対応する点灯駆動部１０−１を選択し、通信信号５８１を介して点灯指令を出力する。
【００６０】
なお、本実施形態においては、２つのランプ９０−１及び９０−２を有するプロジェクターの例で説明しているが、３つ以上のランプを有するプロジェクターの場合には、上述のステップＳ１０８において、ランプ９０−１及び９０−２とは異なる３番目のランプを選択してもよい。
【００６１】
ステップＳ１０６でランプが点灯に至ったものと判定されるまで、ステップＳ１０８、ステップＳ１０４、ステップＳ１０６を繰り返す。ステップＳ１０６でランプが点灯に至ったものと判定された場合（ステップＳ１０６でＮＯの場合）には、図３に示すフローを終了する。
【００６２】
図４（Ａ）及び図４（Ｂ）は、本実施形態に係るランプの点灯方法におけるタイミングチャート、図４（Ｃ）は、従来のランプの点灯方法におけるタイミングチャートである。図４（Ａ）及び図４（Ｂ）では、最初にランプ９０−１を選択する例について示している。図４（Ｃ）では、ランプ９０−１を点灯する例について示している。
【００６３】
図４（Ａ）に示す例において、プロジェクター５００がユーザーからの点灯操作を受け付ける（ステップＳ１００）と、時刻ｔ０から時刻ｔ１までのイグニッション期間において、イグナイター回路７０がランプ９０−１の電極間に高電圧パルスを供給する（ステップＳ１０２）。イグニッション期間の長さは、例えば３秒程度である。
【００６４】
その後、時刻ｔ２で直流電流Ｉｄ１を電流検出部６０が検出し（ステップＳ１０４）、
時刻ｔ３でランプ９０−１の点灯状態を判定部２１０が判定する（ステップＳ１０６）。
【００６５】
ランプ９０−１が点灯に至らなかったもの（点灯状態を非点灯）と判定部２１０が判定した場合には、時刻ｔ４から時刻ｔ５までのイグニッション期間において、イグナイター回路７０がランプ９０−２の電極間に高電圧パルスを供給する（ステップＳ１０８）とともに、時刻ｔ４から時刻ｔ９までランプ９０−１を冷却する冷却期間とする。冷却期間の長さは、例えば３０秒程度である。
【００６６】
ランプ９０−２のイグニッション期間の終了後、時刻ｔ６で直流電流Ｉｄ２を電流検出部６０が検出し（ステップＳ１０４）、時刻ｔ７でランプ９０−２の点灯状態を判定部２１０が判定する（ステップＳ１０６）。
【００６７】
ランプ９０−２が点灯に至ったものと判定部２１０が判定した場合には、ランプ９０−２の点灯を継続する。
【００６８】
図４（Ｂ）は、時刻ｔ７において、ランプ９０−２が点灯に至らなかったもの（点灯状態を非点灯）と判定部２１０が判定した場合の例について示している。時刻ｔ７以前の動作については、図４（Ａ）を用いて説明した動作と同様である。
【００６９】
時刻ｔ７において、ランプ９０−２が点灯に至らなかったもの（点灯状態を非点灯）と判定部２１０が判定した場合には、ランプ９０−１の冷却期間終了後の時刻ｔ１０から時刻ｔ１１までのイグニッション期間において、イグナイター回路７０がランプ９０−１の電極間に高電圧パルスを供給する（ステップＳ１０８）とともに、時刻ｔ８から時刻ｔ１３までランプ９０−２を冷却する冷却期間とする。以後同様に、ランプ９０−１及びランプ９０−２のいずれかの点灯が成功するまで交互に点灯制御を繰り返す。
【００７０】
図４（Ｃ）に示す従来のランプの点灯方法は、図４（Ｂ）に示す本実施形態に係るランプの点灯方法におけるランプ９０−１側の動作（図４（Ｂ）の上段側の動作）と同様である。
【００７１】
本実施形態に係るランプの点灯方法では、一方のランプが点灯に至らなかった場合に、冷却期間を待たずに他のランプを点灯する。例えば、図４（Ｃ）に示す従来のランプの点灯方法では、２回目のイグニッション期間は時刻ｔ１０から始まるが、図４（Ａ）及び図４（Ｂ）に示す本実施形態に係るランプの点灯方法では、２回目のイグニッション期間は時刻ｔ４から始められる。したがって、ランプが点灯に至らなかった場合において、使用開始までの待ち時間を短縮可能なプロジェクターが実現できる。
【００７２】
また、ランプの１回目のイグニッション期間での点灯成功確率は、同じランプの２回目のイグニッション期間での点灯成功確率よりも高い傾向がある。そのため、図４（Ｂ）及び図４（Ｃ）において時刻ｔ１０から始まるランプ９０−１のイグニッション期間での点灯成功確率よりも、時刻ｔ４から始まるランプ９０−２のイグニッション期間での点灯成功確率の方が高いものと考えられる。したがって、より高い確率で早期に点灯させることが可能となるため、使用開始までの待ち時間を短縮可能なプロジェクターが実現できる。
【００７３】
〔変形例〕
上述の実施形態においては、制御部２２０は制御装置２００に設けられていたが、制御部２２０は点灯駆動部１０−１及び１０−２のいずれかに設けられてもよい。
【００７４】
図５は、変形例に係るプロジェクターの全体構成の一例を示す図である。なお、図１に示す構成と同様の構成には同一の符号を付し、詳細な説明を省略する。
【００７５】
図５に示すプロジェクター５０１では、点灯駆動部１０−１は、判定部２１０及び制御部２２０を含んで構成されている。点灯駆動部１０−１と点灯駆動部１０−２とは、例えばＵＡＲＴ（Universal Asynchronous Receiver Transmitter）によるシリアル通信により通信してもよい。
【００７６】
点灯駆動部１０−２の電流検出部６０で検出された直流電流Ｉｄ２に関する情報は、通信信号５８３を介して制御装置２００に送信される。
【００７７】
制御部２２０は、光源部１００−１を選択して点灯制御を行う場合には、点灯駆動部１０−１の点灯制御部４０に点灯指令を出力する。また、制御部２２０は、光源部１００−２を選択して点灯制御を行う場合には、通信信号５８３を介して点灯駆動部１０−２の点灯制御部４０に点灯指令を出力する。
【００７８】
図５に示すプロジェクター５０１におけるランプの点灯方法は、図３及び図４（Ａ）〜図４（Ｃ）を用いて説明したプロジェクター５００におけるランプの点灯方法と同様であり、同様の効果を奏する。
【００７９】
上記各実施形態においては、３つの液晶パネルを用いたプロジェクターを例示して説明したが、本発明はこれに限定されるものではなく、１つ、２つ又は４つ以上の液晶パネルを用いたプロジェクターにも適用可能である。
【００８０】
上記各実施形態においては、透過型の光変調手段を備えたプロジェクターを例示して説明したが、本発明はこれに限定されるものではなく、反射型の光変調手段を備えたプロジェクターにも適用することが可能である。ここで、「透過型」とは、透過型の液晶パネル等のように光変調手段としての電気光学変調装置が光を透過するタイプであることを意味しており、「反射型」とは、反射型の液晶パネルやマイクロミラー型光変調装置などのように光変調手段としての電気光学変調装置が光を反射するタイプであることを意味している。マイクロミラー型光変調装置としては、例えば、ＤＭＤ（デジタルマイクロミラーデバイス；Texas Instruments社の商標）を用いることができる。反射型の光変調手段を備えたプロジェクターにこの発明を適用した場合にも、透過型の光変調手段を備えたプロジェクターと同様の効果を得ることができる。
【００８１】
なお、本発明は本実施形態に限定されず、本発明の要旨の範囲内で種々の変形実施が可能である。
【００８２】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【００８３】
例えば、上述の説明では、主として２つのランプを含むプロジェクターの例にについて説明したが、３つ以上のランプを含んだプロジェクターであってもよい。また、３つ以上のランプの中から２つ以上のランプを選択して点灯する照明装置及びプロジェクターでもよい。
【符号の説明】
【００８４】
１０−１，１０−２  点灯駆動部、８０  直流電源装置、９０−１，９０−２  ランプ、
１００−１，１００−２  光源部、２００  制御装置、２１０  判定部、２２０  制御部、５００，５０１  プロジェクター、５０２  画像信号、５１０  画像信号変換部、５１２Ｒ  画像信号（Ｒ）、５１２Ｇ  画像信号（Ｇ）、５１２Ｂ  画像信号（Ｂ）、５５０
ミラー群、５６０Ｒ  液晶パネル（Ｒ）、５６０Ｇ  液晶パネル（Ｇ）、５６０Ｂ  液晶パネル（Ｂ）、５７０  画像処理装置、５７２Ｒ  液晶パネル（Ｒ）駆動信号、５７２Ｇ  液晶パネル（Ｇ）駆動信号、５７２Ｂ  液晶パネル（Ｂ）駆動信号、５８１，５８２，５８３  通信信号、６００  交流電源、７００  スクリーン
【図１】
0005534269.tif 000002
【図２】
0005534269.tif 000003
【図３】
0005534269.tif 000004
【図４】
0005534269.tif 000005
【図５】
0005534269.tif 000006